(57)【特許請求の範囲】
【請求項１】
直方体状に構成された表示装置の外周面を全体にわたって覆うように設けられており、各コーナー部にそれぞれ設けられた円弧状に湾曲するコーナーフレーム材により、それぞれが直線状に延びる一対の直線フレーム材同士が相互に連結されるようになった表示装置のフレーム構造であって、
各直線フレーム材のそれぞれの端部に設けられた貫通孔と、
各直線フレーム材の貫通孔に対してそれぞれ相互に重なり合うように、各コーナーフレーム材の各端部にそれぞれ設けられた貫通孔と、
直線状に延びる軸部の一部にテーパー部が設けられており、そのテーパー部が各直線フレーム材の貫通孔と各コーナーフレーム材の貫通孔とに挿入されることによって、各貫通孔同士が相互に同心状態になる締結具と、
相互に連結されるコーナーフレーム材と直線フレーム材との間に、それぞれに設けられた各貫通孔同士が同心状態になることによって、圧縮状態になるように設けられたコーナーパッキンと、
を具備することを特徴とする表示装置のフレーム構造。
【請求項２】
前記締結具のテーパー部は、軸部と一体化されている請求項１に記載の表示装置のフレーム構造。
【請求項３】
前記締結具のテーパー部は、軸部とは別体になっている請求項１に記載の表示装置のフレーム構造。
【発明の詳細な説明】
【０００１】
【発明の属する技術分野】
本発明は、各種情報を表示するために使用されるＬＥＤ表示装置、液晶表示装置等の表示装置において、外周面全体を覆うように設けられるフレームの構造に関する。
【０００２】
【従来の技術】
屋外において、風雨にさらされた状態で使用されるＬＥＤ表示装置は、内部に水が浸入すると、電子部品等によって構成されたＬＥＤ表示装置本体部が故障するおそれがある。このために、ＬＥＤ表示装置の内部に水が浸入しないように、周縁部を確実に防水する必要がある。このようなＬＥＤ表示装置の一例を図７に示す。このＬＥＤ表示装置は、薄い直方体状に構成されており、その外周面が、フレーム３０によって全周にわたって覆われている。ＬＥＤ表示装置の一方の表面には、表示部である表示パネル４１が設けられている。
【０００３】
フレーム３０は、ＬＥＤ表示装置の直線状に延びる外周縁部に沿って配置された直線フレーム材３１と、ＬＥＤ表示装置の各コーナー部において、隣接する直線フレーム材３１同士をほぼ直角になるように相互に連結する円弧状に湾曲したコーナーフレーム材３２とを有している。
【０００４】
図８は、直線フレーム材３１と、その直線フレーム材３１に連結されたコーナーフレーム材３２の要部とを分解して示す斜視図である。直線フレーム材３１は、ＬＥＤ表示装置における直線状に延びる側縁部に沿って配置された固定用枠材４２を覆うように配置されて、その端部が固定用枠材４２の端部にボルト３５によって固定されるようになっている。直線フレーム材３１の外周面は、各側縁部を除いて断面が半円状に突出するように湾曲しており、各側縁部は、それぞれ、平坦になっている。コーナーフレーム材３２の外周面における断面形状も、直線フレーム材３１の断面形状と同様になっており、それぞれの外周面同士が、相互に整合状態で突き合わされるようになっている。直線フレーム材３１の外周面とコーナーフレーム材３２の外周面との間には、図９に示すように、円弧状をした主パッキン３３と、主パッキン３３に連続するようにそれぞれが直線状に延びる一対のサブパッキン３４とが設けられている。
【０００５】
コーナーフレーム材３２の外周面における端面には、円弧状をした主パッキン３３が嵌入される凹溝部３２ａが設けられており、図１０に示すように、凹溝部３２ａ内に主パッキン３３の一部が嵌入されている。主パッキン３３にそれぞれ連続して配置される各サブパッキン３４は、コーナーフレーム材３２の外周面の平坦になった各側縁部の端面に、両面テープによって、それぞれ取り付けられている。
【０００６】
図９および図１０に示すように、コーナーフレーム材３２の端部には、断面が円弧状をした外周面の内部に配置された取付片３２ｂが設けられている。この取付片３２ｂは、コーナーフレーム材３２に突き合わされる直線フレーム材３１の端部内に挿入されるように、コーナーフレーム材３２の外周面の端面から突出しており、図８に示すように、この取付片３２ｂにボルト３６が挿通されて、そのボルト３６によって、固定用枠材４２に取り付けられるようになっている。
【０００７】
固定用枠材４２にボルト３６によって取り付けられたコーナーフレーム材３２と、固定用枠材４２にボルト３５によって取り付けられた直線フレーム材３１との間に介在された主パッキン３３および一対のサブパッキン３４は、直線フレーム材３１とコーナーフレーム材３２とによって圧縮された状態になる。コーナーフレーム材３２の端面の凹溝部３２ａ内に取り付けられた主パッキン３３は、図１１（ａ）に示すように、凹溝部３２ａにおける幅方向の左右に広がった状態になり、直線フレーム材３１とコーナーフレーム材３２との間を確実にシールするようになっている。
【０００８】
【発明が解決しようとする課題】
このようなＬＥＤ表示装置のフレーム構造では、組み立てる際に、コーナーフレーム材３１の凹溝部３２ａ内に主パッキン３３が嵌入されて取り付けられるとともに、各サブパッキン３４も、両面テープによってコーナーフレーム材３１にそれぞれ取り付けられる。そして、そのコーナーフレーム材３２が、固定用枠材４２にボルト３６によって取り付けられ、その後に、直線フレーム材１１が固定用枠材４２に対して、ボルト３５によって取り付けられる。
【０００９】
直線フレーム材３１は、ボルト３５によって、固定用枠材４２における所定位置に位置決めされた状態で取り付けられる。この場合、コーナーフレーム材３２に取り付けられた主パッキン３３および一対のサブパッキン３４は、直線フレーム材３１によって強く圧縮された状態になるために、直線フレーム材３１が主パッキン３３および各サブパッキン３４に対して、適切に圧縮されないと、主パッキン３３および各サブパッキン３４は、コーナーフレーム材３２から外れるおそれがある。
【００１０】
このような問題を回避するために、直線フレーム材３１の端面を主パッキン３３に対して軽く当接された後に、主パッキン３３が所定の状態になるように、主パッキン３３を徐々に圧縮させる必要がある。しかしながら、主パッキン３３が均等に圧縮されるように、直線フレーム材３１を、主パッキン３３が適切に圧縮されるように主パッキン３３に当接させることは容易でなく、主パッキン３３が均等に圧縮されずに、例えば、図１１（ｂ）に示すように、主パッキン３３が片側にのみ屈曲された状態になるおそれがある。このように、主パッキン３３が片側にのみ屈曲された状態になると、主パッキン３３による防水効果が著しく低下することになる。
【００１１】
本発明は、このような問題を解決するものであり、その目的は、簡単な作業によって、優れた防水効果が得られる表示装置のフレーム構造を提供することにある。
【００１２】
【課題を解決するための手段】
本発明の表示装置のフレーム構造は、直方体状に構成された表示装置の外周面を全体にわたって覆うように設けられており、各コーナー部にそれぞれ設けられた円弧状に湾曲するコーナーフレーム材により、それぞれが直線状に延びる一対の直線フレーム材同士が相互に連結されるようになった表示装置のフレーム構造であって、各直線フレーム材のそれぞれの端部に設けられた貫通孔と、各直線フレーム材の貫通孔に対してそれぞれ相互に重なり合うように、各コーナーフレーム材の各端部にそれぞれ設けられた貫通孔と、直線状に延びる軸部の一部にテーパー部が設けられており、そのテーパー部が各直線フレーム材の貫通孔と各コーナーフレーム材の貫通孔とに挿入されることによって、各貫通孔同士が相互に同心状態になる締結具と、相互に連結されるコーナーフレーム材と直線フレーム材との間に、それぞれに設けられた各貫通孔同士が同心状態になることによって、圧縮状態になるように設けられたコーナーパッキンと、を具備することを特徴とする。
【００１３】
前記締結具のテーパー部は、軸部と一体化されている。
前記締結具のテーパー部は、軸部とは別体になっている。
【００１４】
【発明の実施の形態】
以下、本発明の実施の形態を、図面に基づいて説明する。
【００１５】
図１は、本発明のフレーム構造を有するＬＥＤ表示装置の実施の形態の一例を示す斜視図である。このＬＥＤ表示装置は、例えば屋外において使用されるように薄い長方体状に構成されており、その外周面が、フレーム１０によって全周にわたって覆われている。ＬＥＤ表示装置の一方の表面には、内部に設けられたＬＥＤ表示装置本体の表示パネル２１が設けられている。
【００１６】
フレーム１０は、ＬＥＤ表示装置の長手方向のほぼ全長にわたって直線状に延びる一対の長尺の直線フレーム材１１と、ＬＥＤ表示装置の幅方向のほぼ全長にわたって直線状に延びる一対の短い直線フレーム材１１と、長尺の直線フレーム材１１と短い直線フレーム材１１とを、相互にほぼ直角になるように連結する円弧状に湾曲したの４つのコーナーフレーム材１３とを有している。
【００１７】
図２は、そのＬＥＤ表示装置のコーナー部を分解して示す斜視図、図３は、そのコーナー部の断面図である。それぞれが直線状に延びる各直線フレーム材１１は、ＬＥＤ表示装置本体に取り付けられる固定用枠材２２の長手方向に沿った部分の外側面を覆うように、それぞれの各側縁部が、固定用枠材２２の内側に向かってそれぞれ屈曲されている。各直線フレーム材１１のそれぞれの端部には、一対の貫通孔１１ａが、各直線フレーム材１１の幅方向に適当な間隔をあけてそれぞれ設けられている。また、直線フレーム材１１にて覆われる固定用枠材２２の長手方向に沿った各端部にも、直線フレーム材１１の各端部に設けられた各貫通孔１１ａとはそれぞれ等しい大きさであって、各貫通孔１１ａに整合状態で対向される一対の貫通孔２２ａがそれぞれ設けられている。そして、図３に示すように、各貫通孔２２ａの背面側には、ナット部材２３がそれぞれ取り付けられている。各ナット部材２３は、それぞれの一部を各貫通孔２２ａ内にそれぞれ嵌入した状態で、固定用枠材２２にそれぞれ一体的に取り付けられている。
【００１８】
各直線フレーム材１１同士を連結するコーナーフレーム材１３は、各直線フレーム材１１の外周面と同様の断面形状になった外周面が設けられたコーナー本体部１３ａを有している。コーナー本体部１３ａの一方の端面は、直線フレーム材１１の端面に突き合わされるようになっており、その端面に凹溝部１３ｂが設けられている。凹溝部１３ａは、内側に屈曲されたコーナー本体部１３ａの各側縁部を除いて全体にわたって設けられている。
【００１９】
コーナー本体部１３ａにおける凹溝部１３ｂが設けられた端面には、直線フレーム材１１と、この直線フレーム材１１にて覆われる固定用枠材２２との間に挿入される一対の挿入片１３ｃが、コーナーフレーム材１３の幅方向に並んで、コーナー本体部１３ａの外周面における内面から突出するように設けられている。各挿入片１３ｃの中央部には、貫通孔１３ｄがそれぞれ設けられている。各貫通孔１３ｄは、固定用枠材２２と直線フレーム材１１との間に各挿入片１３ｃが挿入された際に、直線フレーム材１１の端部に設けられた各貫通孔１１ａと整合状態で対向するように、直線フレーム材１１の各貫通孔１１ａと同じ形状および大きさになっている。
【００２０】
直線フレーム材１１とコーナーフレーム材１３のコーナー本体部１３ａとの間には、コーナーパッキン１４が配置されている。このコーナーパッキン１４は、相互に突き合わされる直線フレーム材１１の端面とコーナーフレーム材１３におけるコーナー本体部１３ａの端面との間に全体にわたって圧縮状態で介在されるように、直線フレーム材１１およびコーナー本体部１３ａのそれぞれの端面と同様の形状に構成されたパッキン本体部１４ａと、このパッキン本体部１４ａ一方の側面に、コーナー本体部１３ａの端面に設けられた凹溝部１３ｂ内に全体にわたって嵌入されるように設けられた嵌合突条１４ｂとを有している。
【００２１】
各挿入片１３ｃの貫通孔１３ｄは、直線フレーム材１１の各貫通孔１１ａに対してそれぞれ整合状態とされた際に、長尺フレーム１１の端面と、コーナーフレーム材１３におけるコーナー本体部１３ａの端面との間に配置されたコーナーパッキン１４のパッキン本体部１４ａが確実に圧縮されるように、それぞれ設けられている。
【００２２】
直線フレーム材１１は、コーナーフレーム材１３の各挿入片１３ｃとともに、固定用枠材２２に対して一対の締結具１５によって取り付けられている。図４は、その締結具１５の正面図である。この締結具１５は、一方の端部に設けられた頭部１５ａと、この頭部１５ａとは同心状態で設けられた軸部１５ｂとを有しており、軸部１５ｂにおける頭部１５ａに隣接した端部が、直線フレーム材１１の端部に設けられた各貫通孔１１ａおよびコーナーフレーム材１３の各挿入片１３ｃにそれぞれ設けられた各貫通孔１３ｄの内径とほぼ同じ外径の大径部１５ｃになっている。そして、この大径部１５ｃに連続して、頭部１５ａから離れるに連れて順次外径が小さくなったテーパー部１５ｄが同心状態で設けられており、さらに、このテーパー部１５ｄに連続して、大径部１５ｃよりも外径が小さくて外周面にネジ溝が設けられたネジ部１５ｅが同心状態で設けられている。
【００２３】
締結具１５の大径部１５ｃおよびテーパー部１５ｄの長さは、直線フレーム材１１の厚さと、コーナーフレーム材１３における挿入片１３ｃの厚さとを加えた長さにほぼ等しくなっており、ネジ部１５ｅのネジ溝は、固定用枠材２２に取り付けられたナット部材２３にネジ結合されるようになっている。
【００２４】
直線フレーム材１１およびコーナーフレーム材１３を、固定用枠材２２に取り付ける際には、図５（ａ）に示すように、まず、固定用枠材２２を覆うように直線フレーム材１１を配置して、直線フレーム材１１および固定用枠材２２の各貫通孔１１ａおよび２２ａ同士を、ほぼ整合した状態とする。また、コーナーフレーム材１３におけるコーナー本体部１３ａの端面に設けられた凹溝部１３ｂ内に、コーナーパッキン１４の嵌合突条１４ｂを嵌入させて、コーナーパッキン１４をコーナーフレーム材１３と一体化する。このような状態で、コーナーフレーム材１３の一対の挿入片１３ｃを、固定用枠材２２と直線フレーム材１１との間にそれぞれ挿入した後に、直線フレーム材１１の端部に設けられた各貫通孔１１ａ内に締結具１５のネジ部１５ｅをそれぞれ挿入する。
【００２５】
この場合、直線フレーム材１１の各貫通孔１１ａと、各挿入片１３ｃの貫通孔１３ｄとは必ずしも整合状態になっていないために、コーナーフレーム材１３におけるコーナー枠材１３ａの端面に設けられたコーナーパッキン１４は、直線フレーム材１１の端面には圧接されず、コーナーパッキン１４と直線フレーム材１１の端面との間に若干の間隙が形成されている。
【００２６】
このような状態で、各締結具１５のネジ部１５ｅを、各挿入片１３ｃの貫通孔１３ｄ内にそれぞれ挿入して回転させると、ネジ部１５ｅが、固定用枠材２２の各貫通孔２２ａ内に挿入されて、各貫通孔２２ａに取り付けられた各ナット部材２３にそれぞれネジ結合される。そして、各締結具１５をさらに回転させると、各締結具１５は、固定用枠材２２に取り付けられた各ナット部材２３に対してネジ送りされ、図５（ｂ）に示すように、各締結具１５におけるテーパー部１５ｄの下端が、貫通孔１３ｄにおけるコーナー本体部１３ａの遠方側に位置する周縁部に当接する。このような状態で、さらに各締結具１５を回転させて各ナット部材２３に対してネジ送りすると、各締結具１５のテーパー部１５ｄによって、各挿入片１３ｃが案内されて、各挿入片１３ｃは、直線フレーム材１１の端面から内奥側へと順次移動する。
【００２７】
このようにして、各締結具１５をナット部材２３に強く締結すると、図３に示すように、各締結具１５のテーパー部１５ｄによって、各挿入片１３ｃの貫通孔１３ｄは、直線フレーム材１３および固定用枠材２２のそれぞれの各貫通孔１３ａおよび２２ａと同心状態になり、直線フレーム材１１の端面が、コーナーフレーム材１３におけるコーナー本体部１３ａの端面に取り付けられたコーナーパッキン１４に圧接される。これにより、コーナーパッキン１４は、直線フレーム材１１とコーナー本体部１３ａとによって確実に圧縮された状態になり、両者の間が確実に防水される。
【００２８】
コーナーフレーム材１３における他方の直線フレーム材１１と接続される端部も、同様の構造になっており、コーナーフレーム材１３および他方の直線フレーム材１１が、コーナーパッキン１４を介在させた状態で、この直線フレーム材１１にて覆われる固定用枠材２２に対して、一対の締結具１５によって取り付けられるようになっている。
【００２９】
直線フレーム材１１およびコーナーフレーム材１３と固定用枠材２２とを取り付けるために使用される締結具１５としては、軸部１５ｂにテーパー部１５ｄが一体化されている構成に限らず、例えば、図６（ａ）に示すように、軸部１５ｇの全体にわたってネジ溝が形成された一般的なボルト１５ｆに対して、ボルト１５ｆの軸部１５ｇとは別体であって外周面にテーパー部１５ｎが設けられた円筒状のスペーサー１５ｍを嵌合させて構成してもよい。スペーサー１５ｍは、図６（ｂ）および（ｃ）に示すように、一方の端部に、下側になるに連れて順次外径が小さくなったテーパー部１５ｎが設けられており、ボルト１５ｆの頭部１５ｋに、テーパー部１５ｎが設けられた端部とは反対側の端部が突き合わされるように、スペーサー１５ｍが嵌合されて使用される。
【００３０】
なお、上記実施の形態においては、本発明をＬＥＤ表示装置に適用したものについて説明したが、本発明は、これに限るものではなく、液晶表示装置等の屋外にて使用することができる表示装置に適用することができる。
【００３１】
【発明の効果】
本発明の表示装置のフレーム構造は、このように、コーナーフレーム材の端部に設けられた挿入片を直線フレーム材の端部に対して重なり合わせて、それぞれに設けられた貫通孔内に、締結具を挿入するだけで、コーナーフレーム材と直線フレーム材との間に設けられたコーナーパッキンが圧縮状態になるために、コーナーパッキンによる直線フレーム材とコーナーフレーム材との間を、簡単な作業によって、確実に防水することができる。
【図面の簡単な説明】
【図１】本発明のフレーム構造が設けられたＬＥＤ表示装置の実施の形態の一例を示す斜視図である。
【図２】そのフレーム構造の要部を分解して示す斜視図である。
【図３】そのフレーム構造の要部の断面図である。
【図４】そのフレーム構造に使用される締結具の正面図である。
【図５】（ａ）および（ｂ）は、それぞれ、そのフレーム構造を組み立て状態を説明するための要部の断面図である。
【図６】（ａ）は、本発明のフレーム構造に使用される締結具の他の例を示す正面図、（ｂ）は、その締結具に使用されるスペーサーの平面図、（ｃ）は、そのスペーサーの正面図である。
【図７】従来のＬＥＤ表示装置の一例を示す斜視図である。
【図８】そのＬＥＤ表示装置に設けられたフレーム構造の要部を分解して示す斜視図である。
【図９】そのフレーム構造に使用されるコーナーフレーム材と主パッキンおよびサブパッキンとを分解して示す斜視図である。
【図１０】そのコーナーフレーム材の断面図である。
【図１１】（ａ）は、コーナーフレーム材に設けられた主パッキンの適切な圧縮状態を示す断面図、（ｂ）は、その主パッキンの不適切な圧縮圧縮状態を示す断面図である。
【符号の説明】
１０    フレーム
１１    直線フレーム材
１１ａ  貫通孔
１３    コーナーフレーム材
１３ａ  コーナー本体部
１３ｂ  凹溝部
１３ｃ    挿入片
１３ｄ  貫通孔
１４  コーナーパッキン
１４ａ  パッキン本体部
１４ｂ  嵌合突条
１５  締結具
１５ａ  頭部
１５ｂ  軸部
１５ｃ  大径部
１５ｄ  テーパー部
１５ｅ  ネジ部
１５ｆ  ボルト
１５ｇ  軸部
１５ｋ  頭部
１５ｍ  スペーサー
１５ｎ  テーパー部
２２    固定用枠材
【図１】
0003583635.tif 000002
【図２】
0003583635.tif 000003
【図３】
0003583635.tif 000004
【図４】
0003583635.tif 000005
【図５】
0003583635.tif 000006
【図６】
0003583635.tif 000007
【図７】
0003583635.tif 000008
【図８】
0003583635.tif 000009
【図９】
0003583635.tif 000010
【図１０】
0003583635.tif 000011
【図１１】
0003583635.tif 000012